(57)【要約】  タイムスケール（５１０）と、このタイムスケールに対応した電子カルテ情報からなる表示用電子カルテ情報（５２０）と、インデックスとなる時間情報であるタイムマークを管理するタイムマーク管理ボタン（５４０）と、時間表示種別を切り替えるタイムコンバータ（５５０）と、タイムマシン情報の更新履歴を選択する履歴スタンプボタン群（５６０）とにより構成されたタイムマシン情報（５００）を生成するタイムマシン情報生成部（２０）と、このタイムマシン情報（５００）を表示する表示部（４０）と、タイムマーク管理ボタン（５４０）、タイムコンバータ（５５０）、または履歴ボタン群（５６０）のいずれかが操作されたときに、タイムマシン情報（５００）を更新させるタイムマシン情報更新制御部（６２）とを備えた電子カルテ情報表示装置により、管理する電子カルテ情報の表示期間を簡単な操作で指定することができる。
2008143237.tif 000002
【特許請求の範囲】
【請求項１】
年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶部と、
前記プロジェクト情報の表示期間が指定されたときに、この指定された表示期間のカレンダー情報を前記記憶部から取得して異なる時間単位の複数のタイムスケールを生成するとともに、生成された複数のタイムスケールのうち最も小さい時間単位のタイムスケールに対応し、前記表示期間内に前記実行時間情報が含まれるプロジェクト情報を前記記憶部から取得して表示用プロジェクト情報を生成し、前記タイムスケールと前記表示用プロジェクト情報と前記記憶部に記憶されたタイムマークを登録および表示するためのタイムマーク管理ボタンとにより構成されたタイムマシン情報を生成するタイムマシン情報生成部と、
前記タイムマシン情報生成部で生成されたタイムマシン情報を表示する表示部と、
前記タイムマーク管理ボタンが操作され表示された前記タイムマークの中からいずれかのタイムマークが選択されたときに、この選択されたタイムマークの時間情報を基点とする所定期間を前記表示期間として指定して、前記タイムマシン情報を更新させるように前記タイムマシン情報生成部を制御するタイムマシン情報更新制御部と、
を備えることを特徴とするプロジェクト情報表示装置。
【請求項２】
年月日情報を含むカレンダー情報と、プロジェクトで実行される行為ごとの詳細情報である行為情報およびこの行為情報が実行される実行時間情報により構成されたプロジェクト情報とを記憶する記憶部と、
前記プロジェクト情報の表示期間が指定されたときに、この指定された表示期間のカレンダー情報を前記記憶部から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶部から取得して表示用プロジェクト情報を生成し、前記タイムスケールと前記表示用プロジェクト情報と前記タイムスケールの生成に用いる時間表示種別を切り替える操作を行うためのタイムコンバータとにより構成されたタイムマシン情報を生成するタイムマシン情報生成部と、
前記タイムマシン情報生成部で生成されたタイムマシン情報を表示する表示部と、
表示された前記タイムコンバータが操作されたことにより、前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように前記タイムマシン情報生成部を制御するタイムマシン情報更新制御部と、
を備えることを特徴とするプロジェクト情報表示装置。
【請求項３】
年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶部と、
前記プロジェクト情報の表示期間が指定されたときに、この指定された表示期間のカレンダー情報を前記記憶部から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶部から取得して表示用プロジェクト情報を生成し、前記タイムスケールと前記表示用プロジェクト情報と前記記憶部に記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成部と、
前記タイムマシン情報生成部で生成されたタイムマシン情報を表示する表示部と、
前記タイムマーク管理ボタンが操作され表示された前記タイムマークの中からいずれかのタイムマークが選択されたときに、この選択されたタイムマークの時間情報を基点とする所定期間を前記表示期間として指定して、前記タイムマシン情報を更新させるように前記タイムマシン情報生成部を制御し、表示された前記タイムコンバータが操作されたことにより前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように前記タイムマシン情報生成部を制御するタイムマシン情報更新制御部と、
を備えることを特徴とするプロジェクト情報表示装置。
【請求項４】
請求項１〜３いずれか１項に記載のプロジェクト情報表示装置において、
前記タイムマシン情報更新制御部の制御により前記タイムマシン情報生成部においてタイムマシン情報が更新されたときに、この更新前のタイムマシン情報に対応する時間情報を履歴スタンプとして生成する履歴スタンプ生成部を有し、
前記記憶部は、前記履歴スタンプを記憶し、
前記タイムマシン情報生成部で生成されるタイムマシン情報には、前記履歴スタンプを選択するための履歴スタンプ操作ボタン群を有し、
前記タイムマシン情報更新制御部は、前記記憶部に記憶された履歴スタンプの中からいずれかの履歴スタンプが選択されたときに、この履歴スタンプの時間情報を基点とする所定期間を前記表示期間として指定して、前記タイムマシン情報を更新させるように前記タイムマシン情報生成部を制御する、
ことを特徴とするプロジェクト情報表示装置。
【請求項５】
請求項４に記載のプロジェクト情報表示装置において、
前記履歴スタンプボタン群は、前記記憶部に記憶されている履歴スタンプの中の１つ前の履歴スタンプに戻るための前履歴移動ボタンと、１つ後の履歴に移動するための後履歴移動ボタンと、現在時刻を基点とした表示に移動するための現在帰還ボタンと、前記記憶部に記憶されている履歴スタンプを一覧表示した選択画面を展開して移動に用いる履歴スタンプを選択させるための履歴一覧表示ボタンとを有する
ことを特徴とするプロジェクト情報表示装置。
【請求項６】
請求項４または５に記載のプロジェクト情報表示装置において、
前記表示部の表示画面に表示されるタイムマシン情報は、前記タイムスケールおよび前記表示用プロジェクト情報の上部に、前記タイムマーク管理ボタンと前記タイムコンバータと前記履歴スタンプ操作ボタン群とが表示されるように生成される
ことを特徴とするプロジェクト情報表示装置。
【請求項７】
年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶ステップと、
前記プロジェクト情報の表示期間が指定されたときに、この指定された表示期間のカレンダー情報を前記記憶ステップで記憶されたプロジェクト情報から取得して異なる時間単位の複数のタイムスケールを生成するとともに、生成された複数のタイムスケールのうち最も小さい時間単位のタイムスケールに対応し、前記表示期間内に前記実行時間情報が含まれるプロジェクト情報を前記記憶ステップで記憶されたプロジェクト情報から取得して表示用プロジェクト情報を生成し、前記タイムスケールと前記表示用プロジェクト情報と前記記憶ステップで記憶されたタイムマークを登録および表示するためのタイムマーク管理ボタンとにより構成されたタイムマシン情報を生成するタイムマシン情報生成ステップと、
前記タイムマシン情報生成ステップで生成されたタイムマシン情報を表示する表示ステップと、
前記タイムマーク管理ボタンが操作され前記記憶されたタイムマークが表示されたことにより、前記記憶ステップに記憶されたタイムマークの中からいずれかのタイムマークが選択されたときに、この選択されたタイムマークの時間情報を基点とする所定期間を前記表示期間として指定して、前記タイムマシン情報を更新させるように制御するタイムマシン情報更新制御ステップと、
を備えることを特徴とするプロジェクト情報表示方法。
【請求項８】
年月日情報を含むカレンダー情報と、プロジェクトで実行される行為ごとの詳細情報である行為情報およびこの行為情報が実行される実行時間情報により構成されたプロジェクト情報とを記憶する記憶ステップと、
前記プロジェクト情報の表示期間が指定されたときに、この指定された表示期間のカレンダー情報を前記記憶ステップで記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶ステップで記憶されたプロジェクト情報から取得して表示用プロジェクト情報を生成し、前記タイムスケールと前記表示用プロジェクト情報と前記タイムスケールの生成に用いる時間表示種別を切り替える操作を行うためのタイムコンバータとにより構成されたタイムマシン情報を生成するタイムマシン情報生成ステップと、
前記タイムマシン情報生成ステップで生成されたタイムマシン情報を表示する表示ステップと、
表示された前記タイムコンバータが操作されたことにより、前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように制御するタイムマシン情報更新制御ステップと、
を備えることを特徴とするプロジェクト情報表示方法。
【請求項９】
年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶ステップと、
前記プロジェクト情報の表示期間が指定されたときに、この指定された表示期間のカレンダー情報を前記記憶ステップで記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶ステップで記憶されたプロジェクト情報から取得して表示用プロジェクト情報を生成し、前記タイムスケールと前記表示用プロジェクト情報と前記記憶ステップで記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成ステップと、
前記タイムマシン情報生成ステップで生成されたタイムマシン情報を表示する表示ステップと、
前記タイムマーク管理ボタンが操作され前記記憶されたタイムマークが表示されたことにより前記記憶ステップで記憶されたタイムマークの中からいずれかのタイムマークが選択されたときに、この選択されたタイムマークの時間情報を基点とする所定期間を前記表示期間として指定して、前記タイムマシン情報を更新させるように制御し、表示された前記タイムコンバータが操作されたことにより前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように制御するタイムマシン情報更新制御ステップと、
を備えることを特徴とするプロジェクト情報表示方法。
【請求項１０】
請求項７〜９いずれか１項に記載のプロジェクト情報表示方法において、
前記タイムマシン情報更新制御ステップにおける制御により前記タイムマシン情報が更新されたときに、この更新前のタイムマシン情報に対応する時間情報を履歴スタンプとして生成する履歴スタンプ生成ステップを有し、
前記記憶ステップでは、前記履歴スタンプを記憶し、
前記タイムマシン情報生成ステップで生成されるタイムマシン情報には、前記履歴スタンプを選択するための履歴スタンプ操作ボタン群を有し、
前記タイムマシン情報更新制御ステップでは、前記記憶ステップで記憶された履歴スタンプの中からいずれかの履歴スタンプが選択されたときに、この履歴スタンプの時間情報を基点とする所定期間を前記表示期間として指定して、前記タイムマシン情報を更新させるように制御する、
ことを特徴とするプロジェクト情報表示方法。
【請求項１１】
請求項１０に記載のプロジェクト情報表示方法において、
前記履歴スタンプボタン群は、前記記憶ステップで記憶された履歴スタンプの中の１つ前の履歴スタンプに戻るための前履歴移動ボタンと、１つ後の履歴に移動するための後履歴移動ボタンと、現在時刻を基点とした表示に移動するための現在帰還ボタンと、前記記憶ステップで記憶された履歴スタンプを一覧表示した選択画面を展開して移動に用いる履歴スタンプを選択させるための履歴一覧表示ボタンとを有する
ことを特徴とするプロジェクト情報表示方法。
【請求項１２】
請求項１０または１１に記載のプロジェクト情報表示方法において、
前記表示ステップで表示されるタイムマシン情報は、前記タイムスケールおよび前記表示用プロジェクト情報の上部に、前記タイムマーク管理ボタンと前記タイムコンバータと前記履歴スタンプ操作ボタン群とが表示されるように生成される
ことを特徴とするプロジェクト情報表示方法。
【請求項１３】
プロジェクト情報表示装置に、
年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶機能と、
前記プロジェクト情報の表示期間が指定されたときに、この指定された表示期間のカレンダー情報を前記記憶機能で記憶されたプロジェクト情報から取得して異なる時間単位の複数のタイムスケールを生成するとともに、生成された複数のタイムスケールのうち最も小さい時間単位のタイムスケールに対応し、前記表示期間内に前記実行時間情報が含まれるプロジェクト情報を前記記憶機能で記憶されたプロジェクト情報から取得して表示用プロジェクト情報を生成し、前記タイムスケールと前記表示用プロジェクト情報と前記記憶機能で記憶されたタイムマークを登録および表示するためのタイムマーク管理ボタンとにより構成されたタイムマシン情報を生成するタイムマシン情報生成機能と、
前記タイムマシン情報生成機能で生成されたタイムマシン情報を表示する表示機能と、
前記タイムマーク管理ボタンが操作され前記記憶されたタイムマークが表示されたことにより、前記記憶機能に記憶されたタイムマークの中からいずれかのタイムマークが選択されたときに、この選択されたタイムマークの時間情報を基点とする所定期間を前記表示期間として指定して、前記タイムマシン情報を更新させるよう制御するタイムマシン情報更新制御機能と、
を実行させるためのプロジェクト情報表示プログラム。
【請求項１４】
プロジェクト情報表示装置に、
年月日情報を含むカレンダー情報と、プロジェクトで実行される行為ごとの詳細情報である行為情報およびこの行為情報が実行される実行時間情報により構成されたプロジェクト情報とを記憶する記憶機能と、
前記プロジェクト情報の表示期間が指定されたときに、この指定された表示期間のカレンダー情報を前記記憶機能で記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶機能で記憶されたプロジェクト情報から取得して表示用プロジェクト情報を生成し、前記タイムスケールと前記表示用プロジェクト情報と前記タイムスケールの生成に用いる時間表示種別を切り替える操作を行うためのタイムコンバータとにより構成されたタイムマシン情報を生成するタイムマシン情報生成機能と、
前記タイムマシン情報生成機能で生成されたタイムマシン情報を表示する表示機能と、
表示された前記タイムコンバータが操作されたことにより、前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるよう制御するタイムマシン情報更新制御機能と、
を実行させるためのプロジェクト情報表示プログラム。
【請求項１５】
プロジェクト情報表示装置に、
年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶機能と、
前記プロジェクト情報の表示期間が指定されたときに、この指定された表示期間のカレンダー情報を前記記憶機能で記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶機能で記憶されたプロジェクト情報から取得して表示用プロジェクト情報を生成し、前記タイムスケールと前記表示用プロジェクト情報と前記記憶機能で記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成機能と、
前記タイムマシン情報生成機能で生成されたタイムマシン情報を表示する表示機能と、
前記タイムマーク管理ボタンが操作され前記記憶されたタイムマークが表示されたことにより前記記憶機能により記憶されたタイムマークの中からいずれかのタイムマークが選択されたときに、この選択されたタイムマークの時間情報を基点とする所定期間を前記表示期間として指定して、前記タイムマシン情報を更新させるように制御し、表示された前記タイムコンバータが操作されたことにより前記タイムスケールの時間表示種別を切り替える操作が行われたときに、この操作に基づいて前記タイムスケールの生成に用いる時間表示種別を和暦、西暦、年齢、または任意の開始時間からの相対時間の中で切り替えて前記タイムマシン情報を更新させるように制御するタイムマシン情報更新制御機能と、
を実行させるためのプロジェクト情報表示プログラム。
【請求項１６】
請求項１３〜１５いずれか１項に記載のプロジェクト情報表示プログラムにおいて、
前記タイムマシン情報更新制御機能における制御により前記タイムマシン情報が更新されたときに、この更新前のタイムマシン情報に対応する時間情報を履歴スタンプとして生成する履歴スタンプ生成機能を有し、
前記記憶機能では、前記履歴スタンプを記憶し、
前記タイムマシン情報生成機能で生成されるタイムマシン情報には、前記履歴スタンプを選択するための履歴スタンプ操作ボタン群を有し、
前記タイムマシン情報更新制御機能では、前記記憶機能で記憶された履歴スタンプの中からいずれかの履歴スタンプが選択されたときに、この履歴スタンプの時間情報を基点とする所定期間を前記表示期間として指定して、前記タイムマシン情報を更新させるように制御する、
ことを特徴とするプロジェクト情報表示プログラム。
【請求項１７】
請求項１６に記載のプロジェクト情報表示プログラムにおいて、
前記履歴スタンプボタン群は、前記記憶機能で記憶された履歴スタンプの中の１つ前の履歴スタンプに戻るための前履歴移動ボタンと、１つ後の履歴に移動するための後履歴移動ボタンと、現在時刻を基点とした表示に移動するための現在帰還ボタンと、前記記憶機能により記憶された履歴スタンプを一覧表示した選択画面を展開して移動に用いる履歴スタンプを選択させるための履歴一覧表示ボタンとを有する
ことを特徴とするプロジェクト情報表示プログラム。
【請求項１８】
請求項１６または１７に記載のプロジェクト情報表示プログラムにおいて、
前記表示機能で表示されるタイムマシン情報は、前記タイムスケールおよび前記表示用プロジェクト情報の上部に、前記タイムマーク管理ボタンと前記タイムコンバータと前記履歴スタンプ操作ボタン群とが表示されるように生成される
ことを特徴とするプロジェクト情報表示プログラム。
【請求項１９】
年月日情報を含むカレンダー情報と、医療分野で実行される行為ごとの詳細情報である行為情報およびこの行為情報が実行される実行時間情報により構成された電子カルテ情報と、予め登録されたインデックスとなる時間情報であるタイムマークとを記憶する記憶部と、
前記電子カルテ情報の表示期間が指定されたときに、この指定された表示期間のカレンダー情報を前記記憶部から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれる電子カルテ情報を前記記憶部から取得して表示用電子カルテ情報を生成し、前記タイムスケールと前記表示用電子カルテ情報と前記記憶部に記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成部と、
前記タイムマシン情報生成部で生成されたタイムマシン情報を表示する表示部と、
前記タイムマーク管理ボタンが操作され表示された前記タイムマークの中からいずれかのタイムマークが選択されたときに、この選択されたタイムマークの時間情報を基点とする所定期間を前記表示期間として指定して、前記タイムマシン情報を更新させるように前記タイムマシン情報生成部を制御し、表示された前記タイムコンバータが操作されたことにより前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように前記タイムマシン情報生成部を制御し、前記タイムマークの選択または前記タイムコンバータの操作により前記タイムマシン情報生成部においてタイムマシン情報が更新されたときの更新前のタイムマシン情報に対応する時間情報として記憶された履歴スタンプが選択されたときに、この履歴スタンプの時間情報を基点とする所定期間を前記表示期間として指定して、前記タイムマシン情報を更新させるように制御するタイムマシン情報更新制御部と、
を備えることを特徴とする電子カルテ情報表示装置。
【発明の詳細な説明】
【技術分野】
【０００１】
本発明は、様々な分野のプロジェクト管理に用いるプロジェクト情報を表示するプロジェクト情報表示装置、プロジェクト情報表示方法、プロジェクト情報表示プログラム、および電子カルテ情報表示装置に関する。
【背景技術】
【０００２】
従来、様々な分野でプロジェクト管理を行うためのアプリケーションが開発され、利用されている。【０００３】
その中で、医療現場においては患者の治療計画を電子カルテで管理することが行われている。【０００４】
この電子カルテを採用することにより、紙のカルテを利用するときに比べてデータの保存スペースを縮小できるとともに、紙のカルテをめくる等の作業をせずに表示画面上で所望の患者に関する過去の情報を迅速に閲覧できるようになる。【０００５】
患者の情報を迅速に閲覧するため、特開２００３−１０８６６１号公報に示すようにクリニカルパスと呼ばれる医療情報をスケジュール表にまとめたツールを利用することにより、治療の経過および計画を閲覧しやすくすることが可能になる。【０００６】
また、特許２７０６６４５号公報または特許２８１５３４６号公報に記載の技術を用いることにより、患者についての各種情報のスケジュールが一目で理解でき、さらに治療に関わる医療スタッフと情報を共有して、各医療スタッフがデータの入力などを行うことができ、これらを基に治療計画を適宜変更したりすることができる。
【発明の開示】
【０００７】
しかし、上記の特開２００３−１０８６６１号公報、特許２７０６６４５号公報、および特許２８１５３４６号公報に記載の技術は、固定されたスケジュール表（日または時間単位）の枠に各情報が表示されるものであり、さらに詳細な時間単位（例えば分単位や秒単位）での情報の表示をしたい場合や、逆に年単位などの長期間にわたる情報を表示したい場合などに対応することができないものであった。
【０００８】
例えば、医療における治療計画を含む各種プロジェクト管理においては、プロジェクトを構成する個々の行為は他の行為と従属的、排他的に関連していることが多く、この他の行為との従属的、排他的な関連が所定時間内にのみ適用される場合などの詳細な情報を有する場合、これらの情報を明確に提示するには分単位、あるいは秒単位での表示が必要な場合がある。
【０００９】
特開平１１−２１２７００号公報に記載の発明では、表示画面に表示されたＧＵＩ操作子を操作することにより、年単位、月単位、日単位など所望の時間単位の表示モードに変更して情報をスケジュール表に表示させることができるが、表示させる情報の期間の指定操作をさらに容易に実行できる技術が望まれていた。
【００１０】
よって本発明の目的は、プロジェクト管理を行うプロジェクト情報の表示期間を、簡単な操作で指定することができるプロジェクト情報表示装置、プロジェクト情報表示方法、プロジェクト情報表示プログラム、および電子カルテ情報表示装置を提供することである。
【００１１】
上記目的を達成するための本発明のプロジェクト情報表示装置は、年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶部と、前記プロジェクト情報の表示期間が指定されたときに、この指定された表示期間のカレンダー情報を前記記憶部から取得して異なる時間単位の複数のタイムスケールを生成するとともに、生成された複数のタイムスケールのうち最も小さい時間単位のタイムスケールに対応し、前記表示期間内に前記実行時間情報が含まれるプロジェクト情報を前記記憶部から取得して表示用プロジェクト情報を生成し、前記タイムスケールと前記表示用プロジェクト情報と前記記憶部に記憶されたタイムマークを登録および表示するためのタイムマーク管理ボタンとにより構成されたタイムマシン情報を生成するタイムマシン情報生成部と、前記タイムマシン情報生成部で生成されたタイムマシン情報を表示する表示部と、前記タイムマーク管理ボタンが操作され表示された前記タイムマークの中からいずれかのタイムマークが選択されたときに、この選択されたタイムマークの時間情報を基点とする所定期間を前記表示期間として指定して、前記タイムマシン情報を更新させるように前記タイムマシン情報生成部を制御するタイムマシン情報更新制御部とを備えることを特徴とする。
【００１２】
また、本発明の他の形態のプロジェクト情報表示装置は、年月日情報を含むカレンダー情報と、プロジェクトで実行される行為ごとの詳細情報である行為情報およびこの行為情報が実行される実行時間情報により構成されたプロジェクト情報とを記憶する記憶部と、前記プロジェクト情報の表示期間が指定されたときに、この指定された表示期間のカレンダー情報を前記記憶部から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶部から取得して表示用プロジェクト情報を生成し、前記タイムスケールと前記表示用プロジェクト情報と前記時間表示種別を切り替える操作を行うためのタイムコンバータとにより構成されたタイムマシン情報を生成するタイムマシン情報生成部と、前記タイムマシン情報生成部で生成されたタイムマシン情報を表示する表示部と、表示された前記タイムコンバータが操作されたことにより、前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように前記タイムマシン情報生成部を制御するタイムマシン情報更新制御部とを備えることを特徴とする。
【００１３】
また、本発明の他の形態のプロジェクト情報表示装置は、年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶部と、前記プロジェクト情報の表示期間が指定されたときに、この指定された表示期間のカレンダー情報を前記記憶部から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶部から取得して表示用プロジェクト情報を生成し、前記タイムスケールと前記表示用プロジェクト情報と前記記憶部に記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成部と、前記タイムマシン情報生成部で生成されたタイムマシン情報を表示する表示部と、前記タイムマーク管理ボタンが操作され表示された前記タイムマークの中からいずれかのタイムマークが選択されたときに、この選択されたタイムマークの時間情報を基点とする所定期間を前記表示期間として指定して、前記タイムマシン情報を更新させるように前記タイムマシン情報生成部を制御し、表示された前記タイムコンバータが操作されたことにより前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように前記タイムマシン情報生成部を制御するタイムマシン情報更新制御部とを備えることを特徴とする。
【００１４】
また、これらのプロジェクト情報表示装置は、前記タイムマシン情報更新制御部の制御により前記タイムマシン情報生成部においてタイムマシン情報が更新されたときに、この更新前のタイムマシン情報に対応する時間情報を履歴スタンプとして生成する履歴スタンプ生成部を有し、前記記憶部は、前記履歴スタンプを記憶し、前記タイムマシン情報生成部で生成されるタイムマシン情報には、前記履歴スタンプを選択するための履歴スタンプ操作ボタン群を有し、前記タイムマシン情報更新制御部は、前記記憶部に記憶された履歴スタンプの中からいずれかの履歴スタンプが選択されたときに、この履歴スタンプの時間情報を基点とする所定期間を前記表示期間として指定して、前記タイムマシン情報を更新させるように前記タイムマシン情報生成部を制御するようにしてもよい。
【００１５】
また、本発明のプロジェクト情報表示方法は、年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶ステップと、前記プロジェクト情報の表示期間が指定されたときに、この指定された表示期間のカレンダー情報を前記記憶ステップで記憶されたプロジェクト情報から取得して異なる時間単位の複数のタイムスケールを生成するとともに、生成された複数のタイムスケールのうち最も小さい時間単位のタイムスケールに対応し、前記表示期間内に前記実行時間情報が含まれるプロジェクト情報を前記記憶ステップで記憶されたプロジェクト情報から取得して表示用プロジェクト情報を生成し、前記タイムスケールと前記表示用プロジェクト情報と前記記憶ステップで記憶されたタイムマークを登録および表示するためのタイムマーク管理ボタンとにより構成されたタイムマシン情報を生成するタイムマシン情報生成ステップと、前記タイムマシン情報生成ステップで生成されたタイムマシン情報を表示する表示ステップと、前記タイムマーク管理ボタンが操作され前記記憶されたタイムマークが表示されたことにより、前記記憶ステップに記憶されたタイムマークの中からいずれかのタイムマークが選択されたときに、この選択されたタイムマークの時間情報を基点とする所定期間を前記表示期間として指定して、前記タイムマシン情報を更新させるように制御するタイムマシン情報更新制御ステップとを備えることを特徴とする。
【００１６】
また、本発明の他の形態のプロジェクト情報表示方法は、年月日情報を含むカレンダー情報と、プロジェクトで実行される行為ごとの詳細情報である行為情報およびこの行為情報が実行される実行時間情報により構成されたプロジェクト情報とを記憶する記憶ステップと、前記プロジェクト情報の表示期間が指定されたときに、この指定された表示期間のカレンダー情報を前記記憶ステップで記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶ステップで記憶されたプロジェクト情報から取得して表示用プロジェクト情報を生成し、前記タイムスケールと前記表示用プロジェクト情報と前記時間表示種別を切り替える操作を行うためのタイムコンバータとにより構成されたタイムマシン情報を生成するタイムマシン情報生成ステップと、前記タイムマシン情報生成ステップで生成されたタイムマシン情報を表示する表示ステップと、表示された前記タイムコンバータが操作されたことにより、前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように制御するタイムマシン情報更新制御ステップとを備えることを特徴とする。
【００１７】
また、本発明の他の形態のプロジェクト情報表示方法は、年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶ステップと、前記プロジェクト情報の表示期間が指定されたときに、この指定された表示期間のカレンダー情報を前記記憶ステップで記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶ステップで記憶されたプロジェクト情報から取得して表示用プロジェクト情報を生成し、前記タイムスケールと前記表示用プロジェクト情報と前記記憶ステップで記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成ステップと、前記タイムマシン情報生成ステップで生成されたタイムマシン情報を表示する表示ステップと、前記タイムマーク管理ボタンが操作され前記記憶されたタイムマークが表示されたことにより前記記憶ステップで記憶されたタイムマークの中からいずれかのタイムマークが選択されたときに、この選択されたタイムマークの時間情報を基点とする所定期間を前記表示期間として指定して、前記タイムマシン情報を更新させるように制御し、表示された前記タイムコンバータが操作されたことにより前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように制御するタイムマシン情報更新制御ステップとを備えることを特徴とする。
【００１８】
また、これらのプロジェクト情報表示方法は、前記タイムマシン情報更新制御ステップにおける制御により前記タイムマシン情報が更新されたときに、この更新前のタイムマシン情報に対応する時間情報を履歴スタンプとして生成する履歴スタンプ生成ステップを有し、前記記憶ステップでは、前記履歴スタンプを記憶し、前記タイムマシン情報生成ステップで生成されるタイムマシン情報には、前記履歴スタンプを選択するための履歴スタンプ操作ボタン群を有し、前記タイムマシン情報更新制御ステップでは、前記記憶ステップで記憶された履歴スタンプの中からいずれかの履歴スタンプが選択されたときに、この履歴スタンプの時間情報を基点とする所定期間を前記表示期間として指定して、前記タイムマシン情報を更新させるように制御するようにしてもよい。
【００１９】
また、本発明のプロジェクト情報表示プログラムは、プロジェクト情報表示装置に、年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶機能と、前記プロジェクト情報の表示期間が指定されたときに、この指定された表示期間のカレンダー情報を前記記憶機能で記憶されたプロジェクト情報から取得して異なる時間単位の複数のタイムスケールを生成するとともに、生成された複数のタイムスケールのうち最も小さい時間単位のタイムスケールに対応し、前記表示期間内に前記実行時間情報が含まれるプロジェクト情報を前記記憶機能で記憶されたプロジェクト情報から取得して表示用プロジェクト情報を生成し、前記タイムスケールと前記表示用プロジェクト情報と前記記憶機能で記憶されたタイムマークを登録および表示するためのタイムマーク管理ボタンとにより構成されたタイムマシン情報を生成するタイムマシン情報生成機能と、前記タイムマシン情報生成機能で生成されたタイムマシン情報を表示する表示機能と、前記タイムマーク管理ボタンが操作され前記記憶されたタイムマークが表示されたことにより、前記記憶機能に記憶されたタイムマークの中からいずれかのタイムマークが選択されたときに、この選択されたタイムマークの時間情報を基点とする所定期間を前記表示期間として指定して、前記タイムマシン情報を更新させるよう制御するタイムマシン情報更新制御機能とを実行させることを特徴とする。
【００２０】
また、本発明の他の形態のプロジェクト情報表示プログラムは、プロジェクト情報表示装置に、年月日情報を含むカレンダー情報と、プロジェクトで実行される行為ごとの詳細情報である行為情報およびこの行為情報が実行される実行時間情報により構成されたプロジェクト情報とを記憶する記憶機能と、前記プロジェクト情報の表示期間が指定されたときに、この指定された表示期間のカレンダー情報を前記記憶機能で記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶機能で記憶されたプロジェクト情報から取得して表示用プロジェクト情報を生成し、前記タイムスケールと前記表示用プロジェクト情報と前記時間表示種別を切り替える操作を行うためのタイムコンバータとにより構成されたタイムマシン情報を生成するタイムマシン情報生成機能と、前記タイムマシン情報生成機能で生成されたタイムマシン情報を表示する表示機能と、表示された前記タイムコンバータが操作されたことにより、前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるよう制御するタイムマシン情報更新制御機能とを実行させることを特徴とする。
【００２１】
また、本発明の他の形態のプロジェクト情報表示プログラムは、プロジェクト情報表示装置に、年月日情報を含むカレンダー情報と、プロジェクトで実行される行為ごとの詳細情報である行為情報およびこの行為情報が実行される実行時間情報により構成されたプロジェクト情報と、予め登録されたインデックスとなる時間情報であるタイムマークとを記憶する記憶機能と、前記プロジェクト情報の表示期間が指定されたときに、この指定された表示期間のカレンダー情報を前記記憶機能で記憶されたプロジェクト情報から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれるプロジェクト情報を前記記憶機能で記憶されたプロジェクト情報から取得して表示用プロジェクト情報を生成し、前記タイムスケールと前記表示用プロジェクト情報と前記記憶機能で記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成機能と、前記タイムマシン情報生成機能で生成されたタイムマシン情報を表示する表示機能と、前記タイムマーク管理ボタンが操作され前記記憶されたタイムマークが表示されたことにより前記記憶機能により記憶されたタイムマークの中からいずれかのタイムマークが選択されたときに、この選択されたタイムマークの時間情報を基点とする所定期間を前記表示期間として指定して、前記タイムマシン情報を更新させるように制御し、表示された前記タイムコンバータが操作されたことにより前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように制御するタイムマシン情報更新制御機能とを実行させることを特徴とする。
【００２２】
また、これらのプロジェクト情報表示プログラムは、前記タイムマシン情報更新制御機能における制御により前記タイムマシン情報が更新されたときに、この更新前のタイムマシン情報に対応する時間情報を履歴スタンプとして生成する履歴スタンプ生成機能を有し、前記記憶機能では、前記履歴スタンプを記憶し、前記タイムマシン情報生成機能で生成されるタイムマシン情報には、前記履歴スタンプを選択するための履歴スタンプ操作ボタン群を有し、前記タイムマシン情報更新制御機能では、前記記憶機能で記憶された履歴スタンプの中からいずれかの履歴スタンプが選択されたときに、この履歴スタンプの時間情報を基点とする所定期間を前記表示期間として指定して、前記タイムマシン情報を更新させるように制御するようにしてもよい。
【００２３】
また、本発明の電子カルテ情報表示装置は、年月日情報を含むカレンダー情報と、医療分野で実行される行為ごとの詳細情報である行為情報およびこの行為情報が実行される実行時間情報により構成された電子カルテ情報と、予め登録されたインデックスとなる時間情報であるタイムマークとを記憶する記憶部と、前記電子カルテ情報の表示期間が指定されたときに、この指定された表示期間のカレンダー情報を前記記憶部から取得して、異なる時間単位の複数のタイムスケールを、和暦、西暦、年齢、または任意の開始時間からの相対時間の中のいずれかの時間表示種別を用いて生成するとともに、生成された複数のタイムスケールのうち最も小さい時間単位のタイムスケールに対応し、前記表示期間内に前記実行時間情報が含まれる電子カルテ情報を前記記憶部から取得して表示用電子カルテ情報を生成し、前記タイムスケールと前記表示用電子カルテ情報と前記記憶部に記憶されるタイムマークを登録および表示するためのタイムマーク管理ボタンと前記タイムスケールの生成に用いる時間表示種別を切り替える操作を行うためのタイムコンバータとにより構成されたタイムマシン情報を生成するタイムマシン情報生成部と、前記タイムマシン情報生成部で生成されたタイムマシン情報を表示する表示部と、前記タイムマーク管理ボタンが操作され表示された前記タイムマークの中からいずれかのタイムマークが選択されたときに、この選択されたタイムマークの時間情報を基点とする所定期間を前記表示期間として指定して、前記タイムマシン情報を更新させるように前記タイムマシン情報生成部を制御し、表示された前記タイムコンバータが操作されたことにより前記タイムスケールの時間表示種別を切り替える操作が行われたときに、この操作に基づいて時間表示種別を和暦、西暦、年齢、または任意の開始時間からの相対時間の中で切り替えて前記タイムマシン情報を更新させるように前記タイムマシン情報生成部を制御し、前記タイムマークの選択または前記タイムコンバータの操作により前記タイムマシン情報生成部においてタイムマシン情報が更新されたときの更新前のタイムマシン情報に対応する時間情報として記憶された履歴スタンプが選択されたときに、この履歴スタンプの時間情報を基点とする所定期間を前記表示期間として指定して、前記タイムマシン情報を更新させるように制御するタイムマシン情報更新制御部とを備えることを特徴とする。
【００２４】
よって本発明のプロジェクト情報表示装置、プロジェクト情報表示方法、プロジェクト情報表示プログラム、および電子カルテ情報表示装置によれば、プロジェクト管理を行うプロジェクト情報の表示期間を、簡単な操作で指定することができる。
【図面の簡単な説明】
【００２５】
【図１】本発明の一実施形態によるプロジェクト情報表示装置としての電子カルテ表示装置の構成を示すブロック図である。
【図２】本発明の一実施形態によるプロジェクト管理表示装置としての電子カルテ表示装置で利用されるＣＯＡの構造を示す説明図である。
【図３】本発明の一実施形態によるプロジェクト管理表示装置としての電子カルテ表示制御装置で表示される時間軸上におけるＣＯＡの情報の位置を示す説明図である。
【図４】本発明の一実施形態によるプロジェクト管理表示装置としての電子カルテ表示装置の動作を示すフローチャートである。
【図５】本発明の一実施形態によるプロジェクト管理表示装置としての電子カルテ表示制御装置で生成される表示データのモードの種別を説明するための説明図である。
【図６】本発明の一実施形態によるプロジェクト管理表示装置としての電子カルテ表示装置においてＣＯＡモードのタイムラインモードで表示されたタイムマシン情報の一例を示す表示図である。
【図７】本発明の一実施形態によるプロジェクト管理表示装置としての電子カルテ表示装置においてタイムマシンコントローラとともに表示されたタイムスケールの一例を示す表示図である。
【図８】本発明の一実施形態によるプロジェクト管理表示装置としての電子カルテ表示装置においてタイムスケールのスケール幅を変更するためのセンターラインが表示されたタイムスケールの一例を示す表示図である。
【図９】本発明の一実施形態によるプロジェクト管理表示装置としての電子カルテ表示装置においてＣＯＡモードのタイムラインモードで表示されたタイムマシン情報の一例を示す表示図である。
【図１０】本発明の一実施形態によるプロジェクト管理表示装置としての電子カルテ表示装置においてＣＯＡモードのタイムラインモードで表示されたタイムマシン情報の一例を示す表示図である。
【図１１】本発明の一実施形態によるプロジェクト管理表示装置としての電子カルテ表示装置で表示されたタイムマシン情報の中のタイムコンバータの一例を示す表示図である。
【図１２】本発明の一実施形態によるプロジェクト管理表示装置としての電子カルテ表示装置においてログモードのテキストモードで表示されたタイムマシン情報の一例を示す表示図である。
【図１３】本発明の一実施形態によるプロジェクト管理表示装置としての電子カルテ表示装置においてログモードのテキストモードで表示されたタイムマシン情報の一例を示す表示図である。
【発明を実施するための最良の形態】
【００２６】
《一実施形態》
本発明のプロジェクト情報表示制御装置を備えるプロジェクト情報表示装置の一実施形態として、医療分野において電子カルテの治療計画を表示する電子カルテ情報表示装置について説明する。【００２７】
本実施形態の電子カルテ情報表示装置においては、電子カルテに格納されている医療情報を、各種時間単位の時間軸を示すタイムスケールに対応して表示させる表示内容を制御する。【００２８】
〈一実施形態における電子カルテ情報表示装置１の構成〉
本実施形態における電子カルテ情報表示装置の構成について、図１を参照して説明する。【００２９】
図１に示すように、本実施形態における電子カルテ情報表示装置１は、入力部１０と、タイムマシン情報生成部２０と、記憶部３０と、表示部４０と、タイムスケール操作部５０と、電子カルテ情報表示制御装置としてのタイムコントローラ６０とを有する。【００３０】
入力部１０は、ユーザである医師により操作されるものであり、マウス、スタイラスペン、キーボードなどである。【００３１】
タイムマシン情報生成部２０は、入力部１０、後述するタイムスケール操作部５０、またはタイムコントローラ６０から取得した情報に基づいて、後述する記憶部３０のカレンダー情報記憶部３１から該当する時間単位のカレンダー情報を取得して複数のタイムスケールを生成し、さらに、生成したタイムスケールの中で最も小さい時間単位のタイムスケールに対応する表示期間内に実行時間情報が含まれる電子カルテ情報を記憶部３０内の表示情報記憶部３２の電子カルテ情報記憶部３２ｂから取得して行為情報ごとのタイムラインを生成し、生成したタイムスケールとこれに対応した行為情報ごとのタイムラインとで構成されるタイムマシン情報を生成する。【００３２】
記憶部３０は、カレンダー情報記憶部３１と表示情報記憶部３２と、タイムマーク記憶部３３と、時間表示種別情報記憶部３４と、履歴スタンプ記憶部３５とを有する。【００３３】
カレンダー情報記憶部３１は、１０年単位、年単位、月単位、日単位、時単位、分単位、または秒単位でタイムスケールを表示させるための年月日情報を含むカレンダー情報を記憶する。【００３４】
表示情報記憶部３２は、予め入力された種々の医療行為に関する詳細情報を格納するＣＯＡ情報記憶部３２ａ、および、ＣＯＡ情報記憶部３２ａに格納されている医療行為に関する情報から選択された医療行為の情報とこの選択された医療行為が実行される実行時間情報とにより構成された１０年単位、年単位、月単位、日単位、時単位、分単位、および秒単位の電子カルテ情報を記録する電子カルテ情報記憶部３２ｂを有する。【００３５】
ＣＯＡ情報記憶部３２ａに格納される医療行為に関する情報について説明する。【００３６】
本実施形態においては、表示する様々な種類の医療行為を個々に「アクト」として定義し管理している。【００３７】
そして、これらの個々のアクトはその行為の核心となる情報（Core of Act、以下「ＣＯＡ」とする。）を有する。このＣＯＡの中にはそれぞれ時間軸を基にして定義された他の行為との関係等が格納されている。【００３８】
アクトの種類としては、「観察」、「処方」、「注射」、「給食」等があり、これらには例えば「注射」を行ってから所定の時間経過後に「観察」しなければならない等の時間軸に基づく他の医療行為と関係する情報が個々にある。【００３９】
医療行為以外の情報、例えば「症状」の情報なども、「観察」というアクトに基づいて発生するＣＯＡであり、これらの情報（症状）は「観察」のＣＯＡとして保持される。つまり、すべての医療情報は何らかの医療行為（アクト）のＣＯＡとして保持される。【００４０】
このような考えに基づき、本実施形態の電子カルテ表示装置においては、電子カルテという時間軸を既に持ったデータ構造の中に、さらに個々に時間軸に基づく情報を持ったＣＯＡを入力して表示させ、精度の高い医療情報の提供を支援する。【００４１】
−ＣＯＡの構成−
本発明において利用される各ＣＯＡを構成する情報について、図２を参照して説明する。【００４２】
各ＣＯＡは、（１）アクト情報層１００と、（２）アクト動作層２００と、（３）出力層３００と、（４）管理層４００とを有する。【００４３】
（１）アクト情報層１００
アクト情報層１００は、自己のアクトに関する情報である自行為情報としての（ｉ）自己アクト情報１１０と、他のＣＯＡとリンクするための情報であるリンケージ情報としての（ii）リンケージアクト情報１２０とを有する。【００４４】
（ｉ）自己アクト情報１１０
自己アクト情報１１０はさらに、自行為特性情報としての自己アクト特性１１１と自行為論理情報としての自己アクト論理１１２とを有し、自己アクト特性１１１には、自己のアクトの名称１１１ａ（正式名称、別称、仮名称など）、分類１１１ｂ（大分類、中分類、小分類など）、関連ＩＤ１１１ｃ（名称１１１ａに対応し他のＣＯＡとリンクするための識別ＩＤ）、知識１１１ｄ（自己のアクトに関する量、速度、単位、科学知識やノウハウなど）が格納されている。【００４５】
分類１１１ｂの例としては、大分類として「動作アクト」、「論理上アクト」があり、「動作アクト」の中分類として「観察アクト」、「介入アクト」がある。また、「観察アクト」の小分類として「病歴」、「症状」、「所見」などがあり、「介入アクト」の小分類として「検体検査」、「画像検査」、「生理検査」、「処方」、「注射」、「処置」、「入退院」、「給食」などがある。また、「論理上アクト」の小分類として、「検査結果の組み合わせによるデータ生成」、「処方箋；物伝票の生成」などがある。【００４６】
自己アクト論理１１２には、自己のアクトを実行する際の量の算出方法、投与量の適正範囲、症状の評価方法、単位の換算、表示方法などの情報が格納されている。【００４７】
（ii）リンケージアクト情報１２０
リンケージアクト情報１２０は、リンケージアクト特性１２１とリンケージアクト論理１２２とを有し、リンケージアクト特性１２１には、関連性を有する他のＣＯＡの内容、適用時間、適用範囲などの情報が時間軸情報に基づいて格納され、リンケージアクト論理１２２には、リンケージアクト特性１２１の情報に基づいて関連性を有する他のＣＯＡとリンクする際の論理和、論理積等による条件式、論理フローなどが格納されている。【００４８】
（２）アクト動作層２００
アクト動作層２００には、自己アクト論理１１２およびリンケージアクト論理１２２に基づいて処理を実行する際の動作間の論理制御情報、例えば実行順序や条件式などが格納されている。【００４９】
（３）出力層３００
出力層３００には、自己のＣＯＡの動作に関する状態３００ａ（想定、計画、実施決定、準備、実施、結果など）、評価３００ｂ（成功、失敗など）、成果３００ｃ（観察結果、実施結果、図形化、伝票・処方箋生成など）、他のＣＯＡに対する介入３００ｄなどの情報が格納されている。【００５０】
（４）管理層４００
管理層４００には、各ＣＯＡを管理するための管理ＩＤ群４００ａと、管理名称４００ｂと、各ＣＯＡを著作物とする著作権４００ｃと、著作日時、更新日時などの版情報４００ｄとが格納されている。【００５１】
各ＣＯＡの時間軸上における情報の適用範囲を図３に示す。ＣＯＡはそれぞれ複数のリンケージアクト情報１２０を有することが可能であり、図３のＣＯＡにおいてはリンケージアクト情報１２０−１〜１２０−３の３つのリンケージアクトを有する。【００５２】
図３において、リンケージアクト情報１２０−１は自己アクト情報１１０による医療行為実行後所定時間経過後から適用される情報であり、リンケージアクト情報１２０−２は自己アクト情報１１０による医療行為実行と同時に適用される情報であり、リンケージアクト情報１２０−３は自己アクト情報１１０による医療行為終了時から適用される情報である。【００５３】
図１に戻り、タイムマーク記憶部３３は、患者ごとに、表示されたタイムマシン情報を再度表示させるために医師により登録された、インデックスとなる時間情報をタイムマークとして記憶する。【００５４】
このタイムマークには、以前に表示されたときと同じ時間幅でタイムマシン情報を表示するための、時間単位および時間幅等の時間情報を登録することができる。【００５５】
またこのタイムマークには、該当する患者の全生涯の電子カルテ情報を表示の全幅として表示するための時間情報がデフォルト設定として登録される。【００５６】
またこのタイムマークには、医師により選択された任意の年齢幅で電子カルテ情報を表示するための、時間情報を登録することができる。【００５７】
またこのタイムマークには、以前に表示されたときと同じ表示モードで電子カルテ情報を表示するためのモード情報を登録することができる。この表示モードには、治療計画ごとに分類して各行為情報のタイムラインが表示される計画モード、実施条件ごとに分類して各行為情報のタイムラインが表示される実施モード、入力されているすべての行為情報のタイムラインが表示される全表示モードがある。【００５８】
時間表示種別情報記憶部３４は、タイムマシン情報のタイムスケールを作成する際の時間表示を、医師により指定された時間からの相対時間で表示するための基準となる年齢、イベント開始時刻等を記憶する。【００５９】
履歴スタンプ記憶部３５は、後述するタイムコントローラ６０の操作によりタイムマシン情報が更新される都度、更新前の表示情報を履歴スタンプとして記憶する。【００６０】
表示部４０は、タイムマシン情報生成部２０で生成されたタイムマシン情報を表示するものであり、ディスプレイなどである。【００６１】
タイムスケール操作部５０は、医師による入力部１０の操作により、表示部４０に表示されるタイムマシン情報の、タイムスケールの表示または動作に関するモードの切り替え、時間単位の選択、表示期間の選択、表示エリアの選択等の操作を行う。【００６２】
タイムコントローラ６０は、タイムマーク登録編集部６１と、タイムマシン情報更新制御部６２と、履歴スタンプ生成部６３とを有する。【００６３】
タイムマーク登録編集部６１は、医師による入力部１０の操作により、記憶部３０のタイムマーク記憶部３３へのタイムマークの登録、編集を行う。【００６４】
タイムマシン情報更新制御部６２は、医師による入力部１０の操作により記憶部３０のタイムマーク記憶部３３に記憶されたタイムマークの中から所望のタイムマークが選択されたときに、この選択されたタイムマークの時間情報をタイムマシン情報生成部２０に送出し、選択されたタイムマークの情報に基づいてタイムマシン情報生成部２０で生成するタイムマシン情報を更新させる。【００６５】
また、タイムマシン情報更新制御部６２は、医師による入力部１０の操作により記憶部３０の履歴スタンプ記憶部３５に記憶された履歴スタンプの中から所望の履歴スタンプが選択されたときに、この選択された履歴スタンプの時間情報をタイムマシン情報生成部２０に送出し、選択された履歴スタンプの情報に基づいてタイムマシン情報生成部２０で生成するタイムマシン情報を更新させる。【００６６】
また、タイムマシン情報更新制御部６２は、医師による入力部１０の操作により現在時刻への帰還が指示されたときに、現在時刻に基づいてタイムマシン情報生成部２０で生成するタイムマシン情報を更新させる。【００６７】
また、タイムマシン情報更新制御部６２は、医師による入力部１０の操作により時間表示種別の変更が指示されたときに、西暦と、和暦と、記憶部３０の時間表示種別情報記憶部３４記憶された基準となる時間、年齢からの相対時間による時間表示とから選択された時間表示種別に切り替えてタイムスケールが表示されるようにタイムマシン情報生成部２０で生成するタイムマシン情報を更新させる。【００６８】
履歴スタンプ生成部６３は、タイムマシン情報更新制御部６２の制御によりタイムマシン情報が更新されたときに、この更新履歴を記憶部３０の履歴スタンプ記憶部３５に送出する。【００６９】
〈一実施形態における電子カルテ情報表示装置１の動作〉
以下に、一実施形態としての電子カルテ情報表示装置１の動作を、図４〜８を参照して詳細に説明する。【００７０】
図４のフローチャートに示すように、まず、医師による入力部１０の操作により電子カルテ情報表示装置１に電源が投入され所望の患者の個人情報が入力されると（Ｓ１）、既に格納されている当該患者の電子カルテ情報がタイムマシン情報生成部２０において電子カルテ情報記憶部３２ｂから取得され、表示データが生成される。【００７１】
この電子カルテ情報の表示データは、図５に示すように、時間情報を示すカレンダー情報５０１に対応して、取得された電子カルテ情報が上述したＣＯＡを用いたマークで表現されるＣＯＡモード５０２か、テキスト情報によるログとして表現されるログモード５０３かのいずれかのモードにより生成される。【００７２】
ＣＯＡモード５０２は、ＣＯＡにより表現された電子カルテ情報の内容が常に書換え可能であり（rewritable）、最新の情報で表示データが生成される。また、ログ表示モード５０３では、一度テキスト情報により入力された電子カルテ情報の内容は書換え不可能であり（write-once）、新たな情報は追加情報として入力され表示データが生成される。【００７３】
また、このＣＯＡモード５０２には、入力されたＣＯＡがテキストで表示され処方箋などに利用されるテキストモード５０２ａと、入力されたＣＯＡがタイムライン上の所定位置にマーク等で表示されるタイムラインモード５０２ｂとがある。また、ログモード５０３も、入力されたテキスト情報のログがそのまま順次表示されるテキストモード５０３ａと、入力されたテキスト情報のログがタイムライン上の所定位置に表示されるタイムラインモード５０３ｂとがある。【００７４】
電子カルテ情報として、ＣＯＡ情報記憶部３２ａに記憶されているＣＯＡ情報や、観察結果情報、介在情報、薬品などの物流情報や会計情報などの入力情報５０４が上述したＣＯＡモード５０２のタイムラインモード５０２ａ、テキストモード５０２ｂ、ログモード５０３のテキストモード５０３ａ、タイムラインモード５０３ｂのいずれかのモードで入力されると、これらのすべてのモードで入力内容が反映される。【００７５】
いずれかのモードで入力情報が入力されると、電子カルテに表現された表示情報５０５として確定され、さらに必要に応じて入力情報の属性である配置情報、総量・速さに関する情報、自己論理情報、管理情報などの属性情報５０６が編集される。【００７６】
本実施形態においては、カレンダー情報として以下に説明するタイムマシン情報を利用し、且つ、電子カルテ情報を図５のＣＯＡモード５０２のタイムラインモード５０２ｂで表現した表示データであるタイムマシンを生成する場合について説明する。【００７７】
まず、図６に示すようなタイムマシン５００を構成するカレンダー情報として利用されるタイムマシン情報が、タイムマシン情報生成部２０において生成される（Ｓ２）。【００７８】
タイムマシン情報の生成処理について説明する。まず、デフォルトで設定されている時間単位のカレンダー情報が記憶部３０のカレンダー情報記憶部３１から取得され、複数の時間単位のタイムスケール５１０が生成される。【００７９】
本実施形態においては、タイムスケール５１０のデフォルト設定により３つのタイムスケールが生成され、最上位の時間単位として日単位のタイムスケール５１１、中位の時間単位として時単位のタイムスケール５１２、最下位の時間単位として分単位のタイムスケール５１３が生成される。【００８０】
次に、現在時刻を基点とする、タイムスケールの最下位の時間単位である分単位の電子カルテ情報が記憶部３０内の表示情報記憶部３２の電子カルテ情報記憶部３２ｂから取得され、表示部４０の表示画面内の表示範囲５２０に表示される表示用の電子カルテ情報が図５におけるＣＯＡモード５０２のタイムラインモード５０２ｂで生成される。【００８１】
このとき、基点となる日時が中央になるように表示用の電子カルテ情報のタイムラインが生成される。【００８２】
この電子カルテ情報は、リンケージ情報を持ったＣＯＡが行為ごとに生成されたタイムライン上に配置されることにより構成されている。複数のＣＯＡが同一の患者の電子カルテ情報内に配置されると、このＣＯＡに含まれるリンケージ情報により関連性のあるＣＯＡどうしが相互に検出され、禁忌の警告、従属して発生するＣＯＡの提示などの出力が行われる。【００８３】
さらに、この表示画面内の表示範囲５２０を拡縮する操作を行うためのウィンドウエリアマネッジャ５３０が生成される。【００８４】
さらに、記憶部３０のタイムマーク記憶部３３に記憶されているタイムマークを表示および選択させるためのタイムマーク管理ボタン５４０と、タイムスケール５１０内に表示される時間表示種別を、和暦、西暦、または記憶部３０の時間表示種別情報記憶部３４に記憶された年齢またはイベント開始時刻からの相対時間に切り替えるためのタイムコンバータ５５０と、記憶部３０の履歴スタンプ記憶部３５に記憶された履歴スタンプを選択させるための履歴スタンプボタン群５６０とが生成される。【００８５】
タイムコンバータ５５０は、現在表示されているタイムスケール５１０の基点となる現在日時が表示される基点表示エリア５５１と、現在表示されているタイムスケールの時間表示種別が表示される時間表示種別表示エリア５５２とから構成されている。【００８６】
また、履歴スタンプボタン群は、記憶部３０の履歴スタンプ記憶部３５に記憶されている履歴スタンプの中の１つ前の履歴スタンプの表示情報に対応した表示に戻るための前履歴移動ボタン５６１、１つ後の履歴スタンプの表示情報に対応した表示に移動するための後履歴移動ボタン５６２、現在時刻を基点とした表示に移動するための現在帰還ボタン５６３、履歴一覧による選択画面を展開して移動に用いる履歴スタンプを選択させるための履歴一覧表示ボタン５６４とから構成されている。【００８７】
生成されたこれらの情報は図６に示すように、タイムマシン５００が表示される表示部４０の画面内において、上端部に左から履歴スタンプボタン群５６０、タイムコンバータ５５０、タイムマーク管理ボタン５４０が表示され、中央部から上部の左側にウィンドウエリアマネッジャ５３０が表示され、中央部から下部の広い範囲にタイムスケール５１０および表示画面内の表示範囲５２０の電子カルテ情報が表示される（Ｓ３）。【００８８】
タイムマシン５００が表示部４０に表示された状態で、医師による入力部１０の操作により、タイムマシン５００のタイムスケール５１０の日単位のタイムスケール５１１、時間単位のタイムスケール５１２、分単位のタイムスケール５１３のいずれかが操作されたとき、またはこれらのタイムスケールの動作に関するボタン等（図面非表示）が操作されたときには（Ｓ４の「YES」）、タイムスケールの表示または動作に関するモードの切り替え、時間単位の選択、表示期間の選択等が行われ、タイムスケールの表示が更新される（Ｓ５）。【００８９】
例えば、デフォルト設定により生成されたタイムスケール５１０の時間単位を変更する際には、表示中のタイムスケール５１０中の最上位の時間単位のタイムスケール上でさらに上位の時間単位に移動させる操作、または最下位のタイムスケール上でさらに下位の時間単位に移動させる操作を繰り返すことにより、より大きな時間単位またはより小さな時間単位のタイムスケールに順次切り替えられて表示される。【００９０】
例えば、タイムスケール５１０上にカーソルがある状態でホイールマウスを上に回転させることでより上位の時間単位に切り替えて表示させたり、下に回転させることでより下位の時間単位に切り替えて表示させたりするようにしてもよい。【００９１】
また、表示されているいずれかのタイムスケールを左右にスライドさせることにより電子カルテ情報の表示期間を前後に移動させたり、表示されているタイムスケール内の任意の時間幅をドラッグ操作により指定することにより、この指定した期間を全期間とする電子カルテ情報の表示に切り替えさせたりすることができる。この任意の時間幅の指定する際の開始点と終了点は、同一タイムスケール上であってもよいし、異なる時間単位のタイムスケール上であってもよい。異なる時間単位のタイムスケールで指定する際は、開始点、終了点のいずれかが詳細な時間単位で指定され、もう一方がおおまかな時間単位で指定されることになる。【００９２】
また、タイムスケール５１０の時間単位の選択や表示期間の変更を、円形の操作盤であるタイムマシンコントローラを表示させてこれを操作することにより行うようにしてもよい。【００９３】
このタイムマシンコントローラの操作について説明する。まず、タイムスケール５１０に近接して表示されたタイムマシンコントローラ表示用のアイコンがクリックされることにより、図７に示すようにタイムマシンコントローラ５７０が表示される。【００９４】
表示されたタイムマシンコントローラ５７０は円形を成し、この円の外側から内側に向かって順次、タイムスケール５１０を操作するためのドーナツ状の操作エリアが設けられている。図７においては、タイムスケール５１０が日単位のタイムスケール５１１、時間単位のタイムスケール５１２、および分単位のタイムスケール５１３で構成されている場合に対応して、タイムマシンコントローラ５７１には日単位の操作エリア５７１、時単位の操作エリア５７２、および分単位の操作エリア５７３が設けられ、さらに円の中心部には電子カルテ情報を現在時を基準とした表示へジャンプさせるための現在時表示ボタン５７４が設けられている。【００９５】
これらの操作エリア５７１〜５７３のいずれかが内側または外側に向かってドラッグアンドドロップ操作されると、タイムスケール５１０内の各スケールの時間単位が変更される。【００９６】
例えば、分単位の操作エリア５７３がドラッグ操作された状態で外側の時単位の操作エリア５７２の位置にドロップ操作されると、タイムコントローラ５７０の表示はより下位の時間単位である時単位、分単位、および秒単位の操作エリアに変更され、これに対応してタイムスケール５１０の表示も時単位、分単位、および秒単位のタイムスケールに変更される。【００９７】
また、日単位の操作エリア５７１がドラッグ操作された状態で内側の分単位の操作エリア５７３の位置にドロップ操作されると、タイムコントローラ５７０の表示はより上位の時間単位である年単位、月単位、および日単位の操作エリアに変更され、これに対応してタイムスケール５１０の表示も年単位、月単位、および日単位のタイムスケールに変更される。これらのタイムコントローラ５７０内の操作エリアを利用した時間単位の変更操作は、ホイールマウスを上下に回すことにより行われるようにしてもよい。【００９８】
また、現在時表示ボタン５７４がクリック操作されると、表示されているタイムスケールの時間単位はそのままで、現在時を基準とした電子カルテ情報５２０が表示された状態に戻る。【００９９】
また、この現在表示ボタン５７４が左右に傾ける操作が行われると、タイムスケール５１０の表示範囲が伸縮され、上下に傾ける操作が行われると電子カルテ情報の表示エリアが伸縮されて表示される。【０１００】
また、このタイムマシンコントローラ５７０が表示されている状態で、いずれかの時間単位のタイムスケール上でクリック操作したまま右または左に移動されると、この移動されたときの速度に応じてタイムスケールが移動し続け、再度クリック操作されることによりタイムスケールの移動が停止される。【０１０１】
また、タイムスケール５１０上のセンターラインを利用して、表示されている電子カルテ情報５２０のスケール幅やタイムスケール５１０のスケール幅が変更できるように設定してもよい。【０１０２】
このセンターラインを利用する操作例として、図８に示すようにタイムスケール５１０上に表示されたセンターライン５１４に矢印で示すカーソルをオンマウスすることによりこのセンターライン５１４が太く表示されてアクティブ状態となり、さらに右クリック、シングルクリック、ダブルクリック、またはメニュー選択などの操作によりセンターライン５１４の操作モードをプリファレンスモード、シンクロナイズドモード、またはデフォルトモードに切り替えられる。【０１０３】
プリファレンスモードとは、タイムスケール５１１〜５１３ごとにスケール幅を伸縮することができるモードであり、シンクロナイズドモードとは、全てのタイムスケール５１１〜５１３を同時に伸縮することができるモードである。このシンクロナイズドモードでは変更後の最下位の時間単位のタイムスケール５１３のスケール幅で電子カルテ情報５２０が表示され、上位の時間単位のタイムスケール５１１、５１２のスケール幅を縮小させることにより下位の時間単位のタイムスケール５１３および電子カルテ情報５２０が表示不可能となってしまう場合には、表示されるタイムスケール５１０全体の時間単位が自動的に上位の時間単位にアップされる。【０１０４】
また、これらのプロファレンスモードおよびシンクロナイズドモードにはそれぞれ、さらにカーソルの移動幅に従ってスケール幅が任意に変更されるユニットリサイズモードと、予め定義されている幅を基に連続的にスケール幅が変更される（例えばカーソルの移動幅が１０ピクセルを超えるごとに０．５ピクセルずつスケール幅が増減する）シーケンシャルリサイズモードとがあり、これらのモードへの変更も右クリック、シングルクリック、ダブルクリック、またはメニュー選択などの操作により行われる。【０１０５】
これらのいずれかのリサイズモードの状態で、アクティブ状態の上位の時間単位のタイムスケール５１１または中位の時間単位のタイムスケール５１２のセンターライン５１４をクリックしたまま上下左右のいずれかにカーソルを移動させることにより、タイムスケールのスケール幅が変更される。例えば、上または右に移動させるとタイムスケールのスケール幅が拡大され、下または左に移動させると縮小されるようにしたり、元のスケール幅よりも広くカーソルを移動させるとスケール幅が拡大され、元のスケール幅よりも狭くカーソルを移動させると縮小されるようにしたりすることができる。【０１０６】
また、上記のように変更したスケール幅を、タイムスケールごとまたは全てのタイムスケールを一斉に、デフォルトとして設定されたスケール幅にすることができる。このデフォルトのスケール幅への変更は、右クリック、シングルクリック、ダブルクリック、またはメニュー選択などの操作により行われる。【０１０７】
これらのスケール幅を変更させるための操作が行われる際の、最小カーソル移動幅、最大カーソル移動幅、シーケンシャルリサイズモードにおいて予め定義するカーソル移動幅および表示変更幅、ユニットリサイズモードにおける表示変更幅の指定（カーソル幅に合わせて変更する、またはカーソル移動幅の割合に合わせて変更する等）、デフォルトのスケール幅、シンクロナイズドモードにおける時間単位の自動アップ時の最小スケール幅等は、自由に設定することができる。【０１０８】
このスケール幅の調整は、電子カルテ情報５２０の表示範囲やタイムスケールのスケール幅を大幅に伸縮したいときには上位の時間単位のタイムスケール上で操作し、細かな時間単位で伸縮したいときには下位の時間単位のタイムスケール上で操作することにより、所望のスケール幅に変更することができる。【０１０９】
これらの操作によりタイムスケール５１０が更新されると、この更新に対応して、表示部４０の表示画面内の表示範囲５２０に表示されていた電子カルテ情報も更新される（Ｓ６）。【０１１０】
次に、タイムマークが作成され、記憶部３０のタイムマーク記憶部３３に登録されるときの処理について説明する。【０１１１】
タイムマシン５００が表示部４０に表示された状態で、医師による入力部１０の操作により、表示部４０の表示画面内の表示範囲５２０内の電子カルテ情報の中の任意の位置からドラッグ操作されると、図６に示すようにドラッグ開始位置により示される時間上に時間線５２１が表示されるとともに、操作選択画面５２２が表示される。【０１１２】
ここで、操作選択画面５２２には、「タイムマーク作成」、「新規ＣＯＡ作成」、「時間の移動」、「高さ変更」、「時間延長・短縮」等の電子カルテ情報内で行われる各種操作名が表示され、この中から「タイムマーク作成」が選択されることにより、タイムマーク登録編集部６１においてタイムマークの生成処理が開始される（Ｓ７の「YES」）。【０１１３】
タイムマークの生成処理が開始されると、図６に示すように、タイムマークの詳細内容を示すタイムスタンプ２２３が表示される。【０１１４】
このタイムスタンプ２２３内には詳細情報として表示された時間線５２１の日時情報が表示されており、また、このタイムスタンプ２２３の情報を有するタイムマークを登録するための登録ボタン２２３ａおよび登録をキャンセルするためのキャンセルボタン２２３ｂが表示されている。【０１１５】
ここで、表示された登録ボタン２２３ａが選択されることにより、表示されたタイムスタンプの情報を有するタイムマークが生成され、この生成されたタイムマークがタイムマーク記憶部３３に登録される（Ｓ８）。【０１１６】
このタイムマークには、前回表示したときと同じ時間幅でタイムマシン情報を表示するための、時間単位および時間幅等の時間情報が登録される。【０１１７】
またこのタイムマークには、該当する患者の全生涯の電子カルテ情報を表示の全幅として表示するための時間情報がデフォルト設定として登録される。【０１１８】
またこのタイムマークには、医師により選択された任意の年齢幅で電子カルテ情報を表示するための、時間情報を登録することができる。【０１１９】
またこのタイムマークには、前回表示したときと同じ表示モードで電子カルテ情報を表示するためのモード情報を登録することができる。この表示モードには、治療計画ごとに分類して各行為情報のタイムラインが表示される計画モード、実施条件ごとに分類して各行為情報のタイムラインが表示される実施モード、入力されているすべての行為情報のタイムラインが表示される全表示モードがある。さらに、これらのモードにより表示されるときの画面の表示幅、電子カルテ情報を表示するタイムラインの重複や配列および拡縮、単位設定などの表示画面を構成する条件であるビューマークをタイムマークの情報に含めてもよい。【０１２０】
またこのタイムマークには、タイムスタンプ２２３が表示された状態で、「小児科」などの診察科の分類を示すグループ名、「第１回再発」などのタイムマークのタイトル、「診断が確定」などのタイムマークの詳細説明などが入力され登録されるようにしてもよい。【０１２１】
またこのタイムマークは、グループ化することにより階層表示されるように登録してもよい。【０１２２】
さらに、タイムマシン５００が表示部４０に表示された状態で、医師による入力部１０の操作により、タイムスケール５１０および表示画面内の表示範囲５２０に表示された電子カルテ情報の所望のタイムマークを基点にした表示への更新、所望の履歴スタンプを基点にした表示への更新、または、所望の時間表示種別による表示への更新が指示されたときには（Ｓ９の「YES」）、指示に基づいてタイムマシン情報更新制御部６２においてタイムマシン情報の生成が制御され、表示されたタイムマシン情報が更新される（Ｓ１０）。【０１２３】
ここで、タイムスケール５１０および表示画面内の表示範囲５２０に表示された電子カルテ情報が、所望のタイムマークを基点にした表示へ更新されるときの処理について説明する。【０１２４】
医師による入力部１０の操作により、タイムマーク管理ボタン５４０が選択されると、図９に示すように、登録されたタイムマークの一覧であるタイムマークリスト５４１が表示される。【０１２５】
このタイムマークリスト５４１の中から、医師により所望のタイムマーク、例えば、タイトル「第１回再発」、時間線の日時情報「2004/11/12」のタイムマークが選択されると、この日時情報を基点とするタイムスケールおよび表示画面内の表示範囲に表示された電子カルテ情報が生成され、表示部４０に表示されるタイムマシンが更新される。【０１２６】
また、タイムスケール５１０および表示画面内の表示範囲５２０に表示された電子カルテ情報が、所望の履歴スタンプを基点にした表示へ更新されるときの処理について説明する。【０１２７】
医師による入力部１０の操作により、履歴スタンプボタン群５６０の中の前履歴移動ボタン５６１が選択されると、表示されているタイムスケール５１０および表示画面内の表示範囲５２０に表示された電子カルテ情報が、１つ前の履歴スタンプの表示情報に対応した表示に切り替えられる。【０１２８】
また、履歴スタンプボタン群５６０の中の後履歴移動ボタン５６２が選択されると、表示されているタイムスケール５１０および表示画面内の表示範囲５２０に表示された電子カルテ情報が、１つ後の履歴スタンプの表示情報に対応した表示に切り替えられる。【０１２９】
また、履歴スタンプボタン群５６０の中の現在帰還ボタン５６３が選択されると、表示されているタイムスケール５１０および表示画面内の表示範囲５２０に表示された電子カルテ情報が、現在時刻を基点とした表示に切り替えられる。【０１３０】
また、履歴スタンプボタン群５６０の中の履歴一覧表示ボタン５６４が選択されると、すべての履歴が一覧表示された選択画面が展開される。この選択画面の中から医師により所望の履歴スタンプが選択されると、表示されているタイムスケール５１０および表示画面内の表示範囲５２０に表示された電子カルテ情報が、この選択された履歴スタンプの表示情報に対応した表示に切り替えられる。【０１３１】
また、タイムスケール５１０および表示画面内の表示範囲５２０に表示された電子カルテ情報が、所望の時間表示種別による表示に更新されるときの処理について説明する。【０１３２】
タイムスケール５１０および表示画面内の表示範囲５２０に表示された電子カルテ情報が所望の時間表示種別による表示に更新される際は、医師による入力部１０の操作により、タイムコンバータ５５０が操作される。【０１３３】
図１０は、タイムコンバータ５５０を詳細に示した図である。【０１３４】
図１０（ａ）に示すようにタイムコンバータ５５０が表示されている状態で、医師の操作により、タイムコンバータ５５０の時間表示種別表示エリア５５２の右端に表示されているプルダウンボタン５５２ａが選択されると、図１０（ｂ）に示すように予め設定されている時間表示種別が一覧で表示される。【０１３５】
ここでは、時間表示種別表示エリア５５２に設定されている時間表示種別として、「西暦」、「和暦」、「年齢」、「任意の開始時間から」があるものとする。【０１３６】
この表示された時間表示種別の中から医師により所望の時間表示種別が選択されると、選択された時間表示種別で構成されたタイムスケール５１０が表示される。また、基点表示エリア５５１に表示されているタイムスケール５１０の基点となる日時も、この選択された時間表示種別で表示される。【０１３７】
時間表示種別表示エリア５５２の「任意の開始時間から」が選択されたときは、図１０（ｃ）に示すように時間を指定する表示に移り、医師によるドラッグアンドドロップ操作またはキーボードによる入力操作により基点となるイベント開始時間が指定され、このイベント開始時間からの相対時間で構成されたタイムスケール５１０が表示される。【０１３８】
また、このタイムコンバータ５５０では、時間に対する相対的な表示種別だけでなく、実行される行為の回数など順序を持つあらゆる情報に基づく相対的な表示種別が選択できるようにしてもよい。【０１３９】
以上の本実施形態の電子カルテ情報表示装置によれば、時間軸上に表示された電子カルテの表示内容を、ユーザである医師により設定された時刻を基点とした期間の表示や、過去の履歴から選択した期間の表示等への移動を、簡単な操作で指定することができる。【０１４０】
また、上述した本実施形態では、表示範囲５２０には電子カルテ情報が図５におけるＣＯＡモード５０２のタイムラインモード５０２ｂで表示された場合について説明したが、これには限定されず、他のモードで表示されるようにしてもよい。【０１４１】
例えば、カレンダー情報としてのタイムマシン情報に対応して、電子カルテ情報が図５におけるログモード５０３のテキストモード５０３ａで表示される場合について図１２および図１３を参照して説明する。【０１４２】
まず、タイムマシン情報が上述した場合と同様に表示され、タイムスケール上の基点となる位置を示すポインタＰにより示される年月日を含む所定期間の電子カルテ情報が電子カルテ情報記憶部３２ｂから取得され、表示用の電子カルテ情報が図５におけるログモード５０３のテキストモード５０３ａで生成される。【０１４３】
ここで、テキストモード５０３ａによる電子カルテ情報は、図１３に示すように日ごとのテキストデータ５７０で生成される。【０１４４】
テキストモード５０３ａにより生成された電子カルテ情報であるテキストデータ５７０のうち、ポインタＰで示された年月日のテキストデータを最上部として、このポインタＰで示された年月日から所定期間の電子カルテ情報が表示範囲５２０に表示される。【０１４５】
図１３においては、ポインタＰで示された年月日である２００１年２月１５日を最上部として、２００１年２月１５日〜２００１年２月１９日までの期間の電子カルテ情報が表示範囲５２０に表示されている。【０１４６】
タイムスケール５１０内のいずれかの時間単位のタイムスケールまたはポインタＰが操作されることによりポインタＰで示される年月日が前後に移動されると、これに伴って表示範囲５２０に表示される電子カルテ情報の期間も変更され、図１３においては表示範囲５２０には表示されず隠されていた２００１年２月１４日以前や２００１年２月２０日以降の電子カルテ情報が表示されるようになる。【０１４７】
表示範囲５２０に表示される期間およびこの前後の表示されずに隠される期間を含む予め設定された任意の期間の電子カルテ情報であるテキストデータ５７０は、生成された際にメモリに保持され、ポインタＰが移動されたときに迅速に表示されるようにしてもよい。【０１４８】
このようにテキストデータで表示された電子カルテ情報においても、上記実施形態のタイムコントローラ６０により、ユーザである医師により設定された時刻を基点とした期間の表示や、過去の履歴から選択した期間の表示等への移動を、簡単な操作で指定することができる。【０１４９】
本実施形態においては、タイムスケール５１０を横方向に操作するように配置して表示した場合について説明したが、これを９０度回転させて縦方向に操作するように配置して表示してもよい。【０１５０】
また、本実施形態の電子カルテ情報表示装置のタイムコントローラの機能構成をプログラム化してコンピュータに組み込むことにより、当該コンピュータを電子カルテ情報表示装置として機能させるプロジェクト情報表示プログラムを構築することも可能である。【０１５１】
また、本実施形態においては、プロジェクト情報表示装置の一例として電子カルテ表示装置について説明したがこれには限定されず、他のプロジェクト情報、例えば工場において製造工程を管理するプロジェクト情報などの表示を制御させる場合に適用してもよい。【０１５２】
また、本実施形態においては、記憶部は電子カルテ表示装置内に設けた構成としたがこれには限定されず、電子カルテ表示装置とネットワークを介して接続されたサーバ等の別装置内に設けるようにしてもよい。【０１５３】
このように構成することにより、記憶部内の情報量が膨大になったときにも対応することができる。
【図１】
2008143237.tif 000003
【図２】
2008143237.tif 000004
【図３】
2008143237.tif 000005
【図４】
2008143237.tif 000006
【図５】
2008143237.tif 000007
【図６】
2008143237.tif 000008
【図７】
2008143237.tif 000009
【図８】
2008143237.tif 000010
【図９】
2008143237.tif 000011
【図１０】
2008143237.tif 000012
【図１１】
2008143237.tif 000013
【図１２】
2008143237.tif 000014
【図１３】
2008143237.tif 000015
【国際調査報告】
2008143237.tif 000016
2008143237.tif 000017
2008143237.tif 000018
2008143237.tif 000019